(57)【要約】【課題】  医療従事者を呼び出すための動作と、医療従事者以外の要員を呼び出すための動作とを類似した操作方法で実現しつつ、医療従事者に対してその他の呼び出し動作による呼び出しが行われないようにすることを目的とする。【解決手段】  ナースコール呼び出し操作部３の操作によって呼び出しが行われた場合に呼び出し報知部１４を動作させ、患者を担当する医療従事者が携行するナースコール副親機２１を呼び出す。また、その他呼び出し操作部４の操作によって呼び出しが行われた場合に呼び出し報知部１４を動作させず、その他のナースコール副親機２２，２３を呼び出す。従って、患者は、ナースコール呼び出しと異なる複雑な操作方法を覚えることなく、その他の呼び出しを行うことができ、医療従事者に対してはナースコール呼び出しのみが行われるので、医療従事者への負担を軽減することができる。【選択図】        図１
2008272063.tif 000002
【特許請求の範囲】
【請求項１】
患者による操作によって医療従事者を呼び出すためのナースコール呼び出し操作部と、患者による操作によって医療従事者以外の要員を呼び出すためのその他呼び出し操作部と、前記ナースコール呼び出し操作部の操作によってナースコール呼び出し信号を生成するとともに前記その他呼び出し操作部の操作によってその他呼び出し信号を生成する子機用制御部と、前記子機用制御部によって生成されたナースコール呼び出し信号およびその他呼び出し信号を外部に出力する子機用インターフェースとを備えたナースコール子機と、
前記医療従事者によって携行され、前記ナースコール子機からの呼び出しを報知する医療従事者用ナースコール副親機と、
前記医療従事者以外の要員により携行され、前記ナースコール子機からの呼び出しを報知するその他要員用ナースコール副親機と、
前記ナースコール呼び出し信号および前記その他呼び出し信号を入力する親機用インターフェースと、前記親機用インターフェースが前記ナースコール呼び出し信号を入力したか前記その他呼び出し信号を入力したかを判定する呼び出し信号判定部と、前記患者からの呼び出しを報知する呼び出し報知部と、前記ナースコール子機と前記ナースコール子機の呼び出しに対応する前記医療従事者用ナースコール副親機とを関連付けて記憶するとともに前記子機用制御部によって生成されるその他呼び出し信号と前記その他要員用ナースコール副親機とを関連付けて記憶する呼び出し先対応テーブルと、前記親機用インターフェースが前記ナースコール呼び出し信号を入力したと前記呼び出し信号判定部にて判定した場合に前記呼び出し先対応テーブルにより特定される前記医療従事者用ナースコール副親機を呼び出すとともに前記呼び出し報知部を動作させ、前記親機用インターフェースが前記その他呼び出し信号を入力したと前記呼び出し信号判定部にて判定した場合に前記呼び出し先対応テーブルにより特定される前記その他要員用ナースコール副親機を呼び出す親機用制御部とを備えたナースコール親機と、
を有するナースコールシステム。
【請求項２】
前記ナースコール親機が、前記ナースコール呼び出し信号による呼び出しの履歴および前記ナースコール呼び出し信号による呼び出しの履歴を記憶する呼び出し履歴記憶部を備えたことを特徴とする請求項１に記載のナースコールシステム。
【発明の詳細な説明】
【技術分野】
【０００１】
本発明は、病院などで患者からの要求に応じて医療従事者などを呼び出すナースコールシステムに関する。
【背景技術】
【０００２】
従来、ナースコールシステムでは、病室内の患者の近辺（例えば、ベッド近傍など）に設置されたナースコール子機及び看護師などの医療従事者の居るナースステーションなどに設置されたナースコール親機を有線や無線などにより接続している。また、ナースコール子機及びナースコール親機は、廊下灯や制御機などを介して接続されている。さらに、医療従事者が携行するＰＨＳ（Ｐｅｒｓｏｎａｌ  Ｈａｎｄｙｐｈｏｎｅ  Ｓｙｓｔｅｍ）端末とＰＢＸ（Ｐｒｉｖａｔｅ  Ｂｒａｎｃｈ  Ｅｘｃｈａｎｇｅ：電話交換機）とを組み合わせることにより、補助的なナースコール親機（以下、ナースコール副親機と記載する）としてＰＨＳを使用するナースコールシステムも提案されている。
【０００３】
患者がナースコールシステムを用いて呼び出しを行う場合に、患者の状況に応じて様々な種類の呼び出しの種類が存在する。例えば、患者の生命に関わるような場合や、患者が水を飲みたい場合、患者が回診時間を確認したい場合、患者がトイレに行きたい場合などの患者からの呼び出しに対しては、看護師などの資格を持つ医療従事者が対応する必要がある。一方、患者が単なる日常会話や相談などの話し相手を欲する場合や、患者が売店で販売している商品を購入したい場合などの呼び出しに対しては、必ずしも看護師などの資格を持つ医療従事者が対応する必要は無い。
【０００４】
しかしながら、従来のナースコールシステムによる呼び出しが行われた場合には、医療従事者が居るナースステーションに設置されたナースコール親機が呼び出しに対して音を鳴らすなどして報知を行うため、全ての呼び出しに対して看護師などの資格を有する医療従事者が対応している。
【０００５】
ここで、複数のナースコール副親機が存在する場合には、患者毎に呼び出しに対応するナースコール副親機を設定することができるナースコールシステムが知られている。このようなナースコールシステムでは、患者からの呼び出しに対して鳴動するナースコール副親機が設定されているため、その他のナースコール副親機が鳴動することはない。しかしながら、そのような場合でも、患者からの呼び出しに対して鳴動したナースコール副親機を携行している医療従事者が応答できるとは限らないため、ナースステーションに設置されたナースコール親機による報知を行うようにしている。
【０００６】
このように、全ての呼び出しに対して看護師などの資格を有する医療従事者が対応してしまう現状では、医療従事者に対して負担がかかってしまうという問題があった。また、患者は、医療従事者に気兼ねしてナースコールシステムによる呼び出しを行うことができなくなってしまうという問題があった。
【０００７】
ところで、緊急性を要する呼び出しである緊急（通常）の呼び出しと、緊急性を要さない呼び出しである不急（ついで）の呼び出しとを区別して医療従事者を呼び出す技術が知られている（例えば、特許文献１、特許文献２など）。これらの技術では、緊急呼び出し時には、ナースコール親機のスピーカから呼び出し音を鳴らすとともに、緊急呼び出しが行われたナースコール子機に対応する患者の表示を変化（例えば、ランプを点滅させるなど）させるようにしている。一方、不急呼び出し時には、ナースコール親機のスピーカから呼び出し音を鳴らさずに、不急呼び出しが行われたナースコール子機に対応する患者の表示を変化（例えば、ランプを点灯させるなど）させるようにしている。
【特許文献１】特開２０００−４８２６７号公報
【特許文献２】特開２００５−７２８７０号公報
【０００８】
しかしながら、特許文献１および特許文献２に記載の技術では、不急の呼び出しについては、呼び出し音を鳴らさないものの、呼び出しが行われたナースコール子機に対応する患者の表示をナースコール親機にて変化させるようにしているので、医療従事者は、その表示を気にかけることとなり、ナースコール子機による呼び出しを緊急呼び出しと不急呼び出しとに分けても医療従事者の負担が軽減されないという問題があった。
【０００９】
ところで、患者が売店で販売している商品を購入したい場合に、タッチパネル付き表示部に表示された選択肢の中から所望の商品を選択することで、売店等で販売している商品を選択する患者用情報端末を備えたナースコール装置が知られている（例えば、特許文献３など）。
【特許文献３】特開２００２−１９９１１５号公報
【００１０】
しかしながら、特許文献３に記載の技術では、医療従事者を呼び出すためのナースコール呼び出し動作と売店で所望の商品を購入する際の商品購入動作とで患者用情報端末の操作方法が大きく異なるため、患者が商品購入動作を行うことが困難になってしまうという問題があった。ここで、ナースコール呼び出し動作とは、患者が手元にあるナースコール子機のボタンなどを操作して医療従事者を呼び出し、通話路が形成された後に口頭で用件を伝達する動作のことである。また、商品購入動作とは、患者用情報端末のタッチパネル付き表示部に表示された選択肢の中から所望の商品を選択することで商品を購入する動作のことである。このように、ナースコール呼び出し動作と商品購入動作とは大きく異なり、商品購入動作は、ボタンなどを操作して医療従事者に口頭で用件を伝達するナースコール呼び出し動作と比べると、患者にとって非常に面倒であった。
【発明の開示】
【発明が解決しようとする課題】
【００１１】
本発明は、このような問題を解決するために成されたものであり、患者が医療従事者を呼び出すためのナースコール呼び出し動作と、患者が医療従事者以外の要員（例えば、売店の店員や相談相手など）を呼び出すためのその他の呼び出し動作とを類似した操作方法で実現しつつ、医療従事者に対してその他の呼び出し動作による呼び出しが行われないようにすることを目的とする。
【課題を解決するための手段】
【００１２】
上述した課題を解決するために、本発明では、医療従事者を呼び出すためのナースコール呼び出し操作部と医療従事者以外の要員を呼び出すためのその他呼び出し操作部とをナースコール子機に設け、ナースコール呼び出し操作部が操作された場合には、ナースコール親機および医療従事者が携行するナースコール副親機により呼び出しの報知を行い、その他呼び出し操作部が操作された場合には、医療従事者以外が携行するナースコール副親機のみにより呼び出しの報知を行うようにしている。
【発明の効果】
【００１３】
上記のように構成した本発明によれば、ナースコール呼び出し操作部とその他呼び出し操作部とが同じナースコール子機に設けられているので、ナースコール呼び出し動作とその他の呼び出し動作とを類似した操作方法で実現することができる。また、その他の呼び出し動作については、タッチパネル付き表示部などを参照して操作する必要が無い。従って、患者は、ナースコール呼び出し動作を行うための操作と異なる複雑な操作方法を覚えることなく、その他の呼び出し動作を行うことができる。
【００１４】
また、その他呼び出し操作部が操作された場合には、医療従事者以外の要員が携行するナースコール副親機のみが呼び出されるので、医療従事者に対してはナースコール呼び出し動作による呼び出しのみが行われる。従って、医療従事者への負担を軽減することができる。また、看護師などの資格を持たない者に患者への対応の一部を任せることができるので、病院などは、人材不足を補うことができる。また、患者は、ナースコール呼び出し操作部とその他操作部とを使い分けることにより、医療従事者に気兼ねすることなくナースコールシステムによる呼び出しを行うことができる。
【発明を実施するための最良の形態】
【００１５】
以下、本発明の一実施形態を図面に基づいて説明する。図１は、本実施形態によるナースコールシステムの構成例を示すブロック図である。図１に示すように、本実施形態によるナースコールシステムは、ナースコール子機１、ナースコール親機１０、ナースコール副親機用無線装置２０、医療従事者用ナースコール副親機２１、売店用ナースコール副親機２２、相談員用ナースコール副親機２３（売店用ナースコール副親機２２および相談員用ナースコール副親機２３は、特許請求の範囲のその他要員用ナースコール副親機に該当する）を備えて構成されている。
【００１６】
また、ナースコール子機１は、子機用制御部２、ナースコール呼び出し操作部３、その他呼び出し操作部４、子機用インターフェース５を備えて構成されている。また、ナースコール親機１０は、親機用制御部１１、親機用インターフェース１２、呼び出し信号判定部１３、呼び出し報知部１４、呼び出し先対応テーブル１５、呼び出し履歴記憶部１６を備えて構成されている。
【００１７】
図１において、ナースコール子機１は、病室内の患者の近辺（例えば、ベッド近傍など）に設置されており、伝送線を介してナースコール親機１０に接続されている。また、ナースコール親機１０は、医療従事者が在室するナースステーションなどに設置されている。ここで、ナースコール親機１０には、複数のナースコール子機１が識別可能に接続されている。
【００１８】
また、ナースコール子機１とナースコール親機１０との間に廊下灯や制御機などを設けるようにしても良い。ここで、廊下灯は、病室毎に設けられており、各部屋の出入口近傍の外側の壁面などに取り付けられており、患者からの呼び出し時に点灯するなどの状態変化により呼び出しを報知する。また、制御機は、各ナースコール子機から入力した各種の信号を識別すると共に、それらの信号がどの患者からのものであるか（どのベッドからのものであるか）を特定してナースコール親機１０に送信する。
【００１９】
また、ナースコール副親機用無線装置２０は、ナースコール親機１０に接続されており、医療従事者が携行する医療従事者用ナースコール副親機２１、売店の店員が携行する倍転用ナースコール副親機２２、相談員が携行する相談員用ナースコール副親機２３を無線により接続している。
【００２０】
子機用制御部２は、ナースコール子機１の各構成要素を後述するように制御する。ナースコール呼び出し操作部３は、患者により医療従事者を呼び出すための操作を行うものである。ここで、ナースコール呼び出し操作部３は、ボタンなどにより構成されている。子機用制御部２は、ナースコール呼び出し操作部３が操作されると、ナースコール呼び出し信号を生成する。また、ナースコール呼び出し信号には、ナースコール子機１を識別するための子機識別情報が含まれており、この子機識別情報をナースコール親機１０にて解析することで、呼び出しを行った患者を特定することができる。
【００２１】
その他呼び出し操作部４は、患者により医療従事者以外の要員を呼び出すための操作を行うものである。ここで、医療従事者以外の要員とは、病院内の売店の店員や患者の相談を受ける相談員などである。また、その他呼び出し操作部４は、ボタンなどにより構成されている。なお、本実施形態では、その他呼び出し操作部４の操作により売店の店員および相談員の両方を呼び出すようにしているが、これに限定されない。例えば、売店の店員を呼び出すためのその他呼び出し操作部と相談員を呼び出すためのその他呼び出し操作部とを別々に設けるようにしても良い。
【００２２】
子機用制御部２は、その他呼び出し操作部４が操作されると、その他呼び出し信号を生成する。また、その他呼び出し信号には、ナースコール子機１を識別するための子機識別情報が含まれており、この子機識別情報をナースコール親機１０にて解析することで、呼び出しを行った患者を特定することができる。
【００２３】
子機用インターフェース５は、ナースコール呼び出し信号およびその他呼び出し信号をナースコール親機１０に出力する。また、子機用インターフェース５は、ナースコール親機１０との間で通話時の音声信号の入出力を行う。具体的には、子機用インターフェース５は、子機用制御部２により生成されたナースコール呼び出し信号およびその他呼び出し信号の出力後にナースコール親機１０により通話路が形成されると、患者からの音声信号をナースコール親機１０に出力するとともに、医療従事者または医療従事者以外の要員からの音声信号をナースコール親機１０から入力する。
【００２４】
親機用制御部１１は、ナースコール親機１０の各構成要素を後述するように制御する。親機用インターフェース１２は、ナースコール子機１からナースコール呼び出し信号およびその他呼び出し信号を入力するとともに、患者と医療従事者または医療従事者以外の要員との通話時の音声信号を入出力する。また、親機用インターフェース１２は、医療従事者が携行する医療従事者用ナースコール副親機２１、売店の店員が携行する倍転用ナースコール副親機２２、相談員が携行する相談員用ナースコール副親機２３を無線により接続するために、ナースコール副親機用無線装置２０を接続している。
【００２５】
呼び出し信号判定部１３は、親機用インターフェース１２に入力した呼び出し信号がナースコール呼び出し信号であるかその他呼び出し信号であるかを識別する。呼び出し報知部１４は、呼び出しがあることを報知するためのものである。ここで、呼び出し報知部１４は、呼び出しがあることを報知する呼び出し音を出力するスピーカや呼び出しがあることを表示する表示ディスプレイ、呼び出しがあることをＬＥＤ（Ｌｉｇｈｔ  Ｅｍｉｔｔｉｎｇ  Ｄｉｏｄｅ）の点灯や点滅などにより報知する表示灯などにより構成されている。具体的には、親機用インターフェース１２に入力した呼び出し信号がナースコール呼び出し信号であると呼び出し信号判定部１３が判定した場合に、親機用制御部１１は、呼び出し報知部１４を制御して報知を行わせる。
【００２６】
呼び出し先対応テーブル１５は、子機識別情報に対応するナースコール副親機を関連付けて記憶している。換言すると、患者と患者を担当する医療従事者を関連付けて記憶している。また、呼び出し先対応テーブル１５は、各ナースコール子機１の子機用制御部２にて生成されるその他呼び出し信号に対応するナースコール副親機を関連付けて記憶している。ここで、その他呼び出し信号に対応するナースコール副親機は、売店用ナースコール副親機２２および相談員用ナースコール副親機２３である。
【００２７】
このような場合において、親機用インターフェース１２に入力した呼び出し信号がナースコール呼び出し信号であると呼び出し信号判定部１３が判定した場合に、親機用制御部１１は、呼び出し先対応テーブル１５を参照して子機識別情報により医療従事者用ナースコール副親機２１を特定する。
【００２８】
また、親機用インターフェース１２に入力した呼び出し信号がその他呼び出し信号であると呼び出し信号判定部１３が判定した場合に、親機用制御部１１は、呼び出し先対応テーブル１５を参照して売店用ナースコール副親機２２および相談員用ナースコール副親機２３を特定する。
【００２９】
呼び出し履歴記憶部１６は、ナースコール子機１による呼び出しの履歴を記憶する。具体的には、親機用制御部１１は、医療従事者用ナースコール副親機２１、売店用ナースコール副親機２２、相談員用ナースコール副親機２３の何れのナースコール副親機が呼び出し先であるかを特定し、図示しない時計部から入力した現在時刻情報および子機識別情報により特定される患者を示す患者情報を付加して履歴として履歴記憶部１６に記録する。
【００３０】
このように、親機用インターフェース１２に入力した呼び出し信号がナースコール呼び出し信号であると呼び出し信号判定部１３にて判定した場合には、親機用制御部１１は、呼び出し報知部１４を動作させて呼び出しを報知しつつ、呼び出し先対応テーブル１５を参照して対応する医療従事者用ナースコール副親機２１を呼び出す。
【００３１】
一方、親機用インターフェース１２に入力した呼び出し信号がその他呼び出し信号であると呼び出し信号判定部１３にて判定した場合には、親機用制御部１１は、呼び出し報知部１４を動作せず、呼び出し先対応テーブル１５を参照して売店用ナースコール副親機２２および相談員用ナースコール副親機２３を呼び出す。
【００３２】
次に、本実施形態によるナースコールシステムの動作および呼び出し方法を説明する。図２は、本実施形態によるナースコールシステムの動作および呼び出し方法を示すフローチャートである。ここで、本フローチャートは、ナースコール親機１０の動作を示す。まず、ナースコール子機１のナースコール呼び出し操作部３が操作されたか否かを親機用制御部１１にて調べる（ステップＳ１）。具体的には、ナースコール呼び出し操作部３が操作されると、子機用制御部２にてナースコール呼び出し信号が生成されて子機用インターフェース５から出力される。そして、親機用インターフェース１２に入力したナースコール呼び出し信号は、呼び出し信号判定部１３により判定される。この判定結果により、親機用制御部１１は、ナースコール子機１にてナースコール呼び出し操作部３が操作されたか否かを調べることができる。
【００３３】
ナースコール呼び出し操作部３が操作されたと親機用制御部１１にて判断した場合には（ステップＳ１にてＹＥＳ）、親機用制御部１１は、呼び出し報知部１４を動作させて呼び出しの報知を行う（ステップＳ２）。そして、親機用制御部１１は、親機用インターフェース１２に入力したナースコール呼び出し信号に含まれる子機識別情報により呼び出し先対応テーブル１５を参照して、対応する医療従事者用ナースコール副親機２１を呼び出す（ステップＳ３）。
【００３４】
一方、ナースコール呼び出し操作部３が操作されていないと親機用制御部１１にて判断した場合には（ステップＳ１にてＮＯ）、ナースコール子機１のその他呼び出し操作部４が操作されたか否かを親機用制御部１１にて調べる（ステップＳ４）。具体的には、その他呼び出し操作部４が操作されると、子機用制御部２にてその他呼び出し信号が生成されて子機用インターフェース５から出力される。そして、親機用インターフェース１２に入力したその他呼び出し信号は、呼び出し信号判定部１３により判定される。この判定結果により、親機用制御部１１は、ナースコール子機１にてその他呼び出し操作部３が操作されたか否かを調べることができる。
【００３５】
その他呼び出し操作部４が操作されなかったと親機用制御部１１にて判断した場合には（ステップＳ４にてＮＯ）、ステップＳ１の処理に戻る。一方、その他呼び出し操作部４が操作されたと親機用制御部１１にて判断した場合には（ステップＳ４にてＹＥＳ）、親機用制御部１１は、呼び出し報知部１４を動作させず、親機用インターフェース１２に入力したその他呼び出し信号に含まれる子機識別情報により呼び出し先対応テーブル１５を参照して、売店用ナースコール副親機２２および相談員用ナースコール副親機２３を呼び出す（ステップＳ５）。
【００３６】
以上詳しく説明したように、本実施形態によれば、ナースコール子機１のナースコール呼び出し操作部３の操作によって医療従事者の呼び出しが行われた場合に、ナースコール親機１０の呼び出し報知部１４を動作させ、呼び出しを行った患者を担当する医療従事者が携行するナースコール副親機２１を呼び出す。また、ナースコール子機１のその他呼び出し操作部４の操作によって医療従事者以外の要員（売店の店員や相談員）の呼び出しが行われた場合に、ナースコール親機１０の呼び出し報知部１４を動作させず、売店用ナースコール副親機２２および相談員用ナースコール副親機２３を呼び出すようにしている。
【００３７】
これにより、ナースコール呼び出し操作部３とその他呼び出し操作部４とが同じナースコール子機１に設けられているので、ナースコール呼び出し動作とその他の呼び出し動作とを類似した操作方法で実現することができる。また、その他の呼び出し動作については、タッチパネル付き表示部などを参照して操作する必要が無い。従って、患者は、ナースコール呼び出し動作を行うための操作と異なる複雑な操作方法を覚えることなく、その他の呼び出し動作を行うことができる。
【００３８】
また、その他呼び出し操作部が操作された場合には、医療従事者以外の要員（売店の店員や相談員）が携行するナースコール副親機２２，２３のみが呼び出されるので、医療従事者に対してはナースコール呼び出し動作による呼び出しのみが行われる。従って、医療従事者への負担を軽減することができる。また、看護師などの資格を持たない者に患者への対応の一部を任せることができるので、病院などは、人材不足を補うことができる。また、患者は、ナースコール呼び出し操作部３とその他操作部４とを使い分けることにより、医療従事者に気兼ねすることなくナースコールシステムによる呼び出しを行うことができる。
【００３９】
なお、前述した実施形態では、売店用ナースコール副親機２２および相談員用ナースコール副親機２３を売店の店員および相談員により携行されるものとしているが、これに限定されない。例えば、売店や相談員が駐在する相談員室などに固定して設置されるようにしても良い。
【００４０】
また、前述した実施形態では、ナースコール呼び出し操作部３とその他呼び出し操作部４とを別々に設けているが、これに限定されない。例えば、一つの呼び出し操作部の操作の仕方（押しボタンを押し込む量や、押しボタンを押す時間、押しボタンを所定時間内に押す回数など）で緊急呼び出しと不急呼び出しとを区別するようにしても良い。また、別途設けた切替えスイッチにより、一つの呼び出し操作部をナースコール呼び出しとその他呼び出しとに切替えるようにしても良い。
【００４１】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４２】
本発明は、病院などで患者が医療従事者を呼び出すナースコールシステムに有用である。
【図面の簡単な説明】
【００４３】
【図１】本実施形態によるナースコールシステムの構成例を示すブロック図である。
【図２】本実施形態によるナースコールシステムの動作および呼び出し方法を示すフローチャートである。
【符号の説明】
【００４４】
１    ナースコール子機
２    子機用制御部
３    ナースコール呼び出し操作部
４    その他呼び出し操作部
５    子機用インターフェース
１０    ナースコール親機
１１    親機用制御部
１２    親機用インターフェース
１３    呼び出し信号判定部
１４    呼び出し報知部
１５    呼び出し先対応テーブル
１６    呼び出し履歴記憶部
２０    ナースコール副親機用無線装置
２１    医療従事者用ナースコール副親機
２２    売店用ナースコール副親機
２３    相談員用ナースコール副親機
【図１】
2008272063.tif 000003
【図２】
2008272063.tif 000004